Podtech/llm-jp-corpus-v4-ja_patent huggingface dataset:
(57)【要約】      （修正有）【課題】レストランの料理を彷彿とさせる肉の大きさ、やわらかさを求める場合、長時間の煮込みまたは高価な圧力鍋を使用しなければならない。これらの課題を解決し、手間・時間・燃料費ゼロで『ブロック肉のやわらか煮』を提供する。【解決手段】牛肉、豚肉、ラム肉等それぞれの肉を適宜の大きさのブロックにカットし、塩およびコショウ等の調味料を施し、軽く油で炒め、高圧状態で加熱し、その過程で抽出された肉汁と肉を共に真空冷凍処理を施した食品であり、高圧処理済みのため、肉はすでにやわらかく、カレー・ビーフシチュー等の肉材として、また、好みの調味料・薬味等の使用により、簡単かつ短時間でバリエーションを広げる食材として、各料理にアレンジできる半調理食品である。【選択図】なし【特許請求の範囲】
【請求項１】
本発明は牛肉、豚肉、ラム肉等それぞれの肉を適宜の大きさのブロックにカットし、塩およびコショウ等の調味料を施し、軽く油で炒め、高圧状態で加熱し、その過程で抽出された肉汁を肉と共に真空冷凍処理を施した半調理食品であり、高圧処理済みのため肉はすでにやわらかく、カレー・ビーフシチュー等の肉材として、また好みの調味料・薬味等の使用により、簡単かつ短時間で調理できるバリエーション豊富な食材として、各料理にアレンジできる半調理食品『ブロック肉のやわらか煮』である。
【発明の詳細な説明】
【技術分野】
【０００１】  本発明は、主としてカレー、ビーフシチュー、スープ等煮込み用等『ブロック肉のやわらか煮』に関するものである。
【背景技術】
【０００２】  レストランで出されるようなやわらかく煮込んだ肉は、長時間の加熱あるいは圧力鍋を使用して作っている。
【発明の概要】
【発明が解決しようとする課題】
【０００３】  レストランのメニューを彷彿とさせる肉の大きさ、柔らかさを求める場合は、長時間の加熱または高価な圧力鍋を使用しなければならない。これらの課題を解決し、手間・時間・燃料費ゼロでオリジナルな調理方法を提供する食品であり、本発明は以上の問題点を解決するものである。
【課題を解決するための手段】
【０００４】  本発明は牛肉、豚肉、ラム肉等それぞれの肉を適宜の大きさのブロックにカットし、塩およびコショウ等の調味料を施し、軽く油で炒め高圧状態で加熱し、その過程で抽出された肉汁を肉と共に真空冷凍処理を施した半調理食品であり、高圧処理済みのため肉はすでにやわらかく、簡単にかつ短時間で調理できる『ブロック肉のやわらか煮』である。
【発明の効果】
【０００５】  ０００４で説明済みの半調理済み本商品を購入した消費者は、すぐに多くのアレンジ料理を簡単に作ることができる。『ブロック肉のやわらか煮』の本商品は、多忙な現代人の求める商品であり、バリエーションの豊富な食材として多くのオリジナル料理への可能性を含んでいる。また、咀嚼力不足の高齢者にとっても安心な食材といえる。
【発明を実施するための形態】
【０００６】  以下、本発明の実施の形態を説明する。
イ）  本発明『ブロック肉のやわらか煮』をブロック状態のまま調理する場合
１）  スープ料理（カレー、ビーフシチュー、スープ等）
好みの野菜等を炒め、本発明品を加え、水と好みのルーまたは調味料で味付けをす      る。
２）  牛肉ブロック
赤ワイン煮、オイスターソース煮等、洋風・和風・中華風・エスニック風料理等に      使用。
３）  豚肉ブロック
角煮、塩角煮等、洋風・和風・中華風・エスニック風料理に等に使用。
４）  ラム肉ブロック
トマト煮、赤ワイン煮等、洋風・中華風・エスニック風料理等に使用。
ロ）  本発明『ブロック肉のやわらか煮』をブロック状態または細かく砕いて調理する場      合
１）  一品料理、つまみ等
好みの調味料、薬味等を加えてオリジナル料理に使用。
２）  麺料理
パスタ料理の具、冷やし中華麺、ラーメン、そうめん、乳麺等のトッピングに使用      。
３）  丼料理
各肉、好みの味付けでオリジナル丼に使用。
４）  玉子料理
玉子焼き、オムレツ等の具に使用。
５）  サラダ料理
各種サラダの具材として、トッピング用に使用。
６）  サンドイッチ
中身の具材に使用。
７）  老人食のメニュー
ミンチ・ペーストでは物足りない老人食にブロック肉を使用することで、満足な食      事を提供できる。
８）  その他
各自のアレンジで料理のレパートリーが広がる本発明品である。
(57)【要約】【課題】コップなどの容器で挿し木をする際、水中に倒れ込まないように、支える用具が無かった。  本発明は、コップなどで挿し木をする際の用具を提供する。【解決手段】目玉クリップが倒れず、立つように、クリップのバネを留める金具を延長して、固定できる、Ｕ字形の脚を設けたことを特徴とする園芸用品。【選択図】図１
2011239772.tif 000002
【特許請求の範囲】
【請求項１】
目玉クリップにＵ字形の脚を固定させてクリップが立つ状態にした脚付クリップ。
【発明の詳細な説明】
【技術分野】
【０００１】  本発明は、コップで挿し木をする時など園芸に関するものである。
【背景技術】
【０００２】  従来、コップの水で挿し木をする際、枝などを固定するには、コップの淵を挟んで、動かないタイプのものがなかった。
なお、接ぎ木用クリップで脚が無いものは知られている。（特許文献１参照）
【先行技術文献】
【０００３】
【特許文献１】  特開２００４−７３１２８号公報
【発明の概要】
【発明が解決しようとする課題】
【０００４】  コップで挿し木をする時、水の中に倒れ込まないように、支えるものが欲しかった。用具そのものが、コップの中に落ちてしまうと、役に立たなくなる。
本発明は、以上の問題点を解決するためになされたものである。
【課題を解決するための手段】
【０００５】目玉クリップとバネを留める金具を延長して、Ｕ字形の脚をクリップに固定させ、一緒に留めて、クリップは立って倒れない状態にする。
以上の構成よりなるクリップである。
【発明の効果】
【０００６】従来、用具そのものを、固定することが不可能だったが、本発明で可能にした。
本発明は、園芸用品だけでなく、文具としても使用できる。
【図面の簡単な説明】
【０００７】
【図１】本発明の斜視図
【図２】本発明の使用状態を示す斜視図
【発明を実施するための形態】
【０００８】  以下、本発明の形態を説明する。
（イ）目玉クリップ（１）のバネの留め具（２）の先端を長くし、Ｕ字形の板（８）の上方に貫通させ、固定した脚を設ける。
本発明は以上のような構造である。
本発明を使用するときは、Ｕ字形の脚をコップなどの容器に掛け、植物の枝などを、クリップで挟み支え、倒れるのを防ぐことができる。
又、園芸以外に使用するときは、Ｕ字形の脚をテーブルなどに立たせて、メモを挟んで使用する。
【符号の説明】
【０００９】１  目玉クリップ
２  留め具
３  Ｕ字形の脚
【図１】
2011239772.tif 000003
【図２】
2011239772.tif 000004
(57)【要約】【課題】    高温の直火で加熱して減少させた酸化物・過酸化物は時間の経過とともに、再び酸化しないよう防止する事が製品化の段階での課題となります。【解決手段】    この課題を解決する為にできるだけ素早く気密性のある容器に脱酸素剤とともに上記、処理した煮干魚類を使用量に応じた量を小分して充填し蜜封することで解決できる。【選択図】    なし【特許請求の範囲】
【請求項１】
煮熟・乾燥した市販の煮干魚類の表面に水を噴霧しガスバーナー等の高温の直火で瞬間的に加熱し、噴霧した水を蒸発させ、瞬間的な加熱と急激に蒸発させた水蒸気で煮干魚類の表面の酸化した脂肪分の酸化物・過酸化物を低減させることを特徴とする加工方法。
【発明の詳細な説明】
【技術分野】
【０００１】
本発明は原魚よりの加工ではなく通常市販流通している煮干魚類を利用、使用した犬・猫等ペット用コミニケイションフードの加工方法に関するものである。
【背景技術】
【０００２】
市販流通の煮干魚類はだし汁を作る天然調味料として古くから広く使用されている。煮干魚類の製造は、水揚げしたイワシ等小魚の原魚を水洗いし、蒸籠に並べて煮熟し、乾燥させることにより製造する。このようにして製造され出荷される煮干魚類は、できるだけ脂肪分や水分を除去することが望ましいが、皮下脂肪の多い原魚は煮熟では皮下脂肪を十分に除去することは困難であり、皮下脂肪を残したまま乾燥工程に入り、水分を１３〜１６％程度まで乾燥させ出荷しているのが現状である。
【０００３】
このため、時間が経過すると皮下脂肪が酸化し、これにより煮干魚類が変色するとともに脂肪の酸化臭が発生する。また脂肪の酸化臭が発生するだけではなく、人間にも犬・猫等ペットにも有害な脂肪の酸化物・過酸化物が発生する。
【０００４】
通常犬・猫等ペット用には煮干魚類の日本農林規格基準の基準外の等級のものが使用される。JAS規格基準  上級・標準の煮干魚類は人間用として販売されるため価格が高く、犬・猫等ペット用としては価格の安い基準外の煮干魚類が利用されているのが現状である。基準外の煮干魚類は原魚の鮮度での評価もあるが、主に皮下脂肪の量の程度で評価されることが多い（JAS規格基準外の脂肪分８％以上）。
【０００５】
製造後の煮干魚類はダンボール箱詰め等の含気包装で常温保管・常温輸送され、包装業者で始めて冷蔵保管・小分け包装される。小分け包装では機密包装・脱酸素剤等の併用により煮干魚類の酸化は飛躍的に遅くなるが、小分け包装前かなりの時間経過があるため煮干魚類の皮下脂肪の酸化が進み、好ましくないにおい、有害な酸化物質が生成されているのが現状である。本発明者は上記の問題を解決すべく試験研究の結果、皮下脂肪の酸化した基準外煮干魚類の好ましくない臭いの改善、有害な脂肪の酸化物・過酸化物を減少させる方法を見出し、本発明を完成するに至った。
【０００６】
本発明の目的は、酸化した皮下脂肪を持つ市販煮干魚類の臭いを犬・猫等の好む香りに改善するとともに、犬・猫等にも有害な酸化物・過酸化物を減少させ、より安全なペットとのコミニケイションフード加工方法を提供することにある。
【先行技術文献】
【特許文献】
【０００７】
【特許文献１】特開２００８−５７５２号公報
【発明の概要】
【発明が解決しようとする課題】
【０００８】
解決しようとしている問題点は、市販している安価なJAS規格基準外の煮干魚類をより安全なペットフードとして供することである。
【課題を解決するための手段】
【０００９】
上記目的を解決するため請求項に記載の煮干魚類の加工方法は原魚を煮熟し、乾燥さ      
せた市販の煮干魚類の表面に水を噴霧し高温にて煤焼することを特徴とする。  
本発明に係る原料の煮干魚類は産地で水揚げし、産地製造工場で煮干魚類に加工した一般的流通のJAS規格基準外煮干魚類を使用する。
【００１０】
煮干魚類の表面を均一に煤焼するためステンレス製の金網上に均一に並べ、さらに同様の金網で反転したとき混ざったり落下したりしないよう上から押さえる。上面に霧吹きで適量水を噴霧しガスバーナー等の強熱で均一に焼き色がつくよう煤焼する。ガスバーナーは炎の最高温度点が煮干魚類の表面に接するように炎の距離を調節する。一般的にガスバーナー炎の最高温度は１，３００℃前後といわれている。
さらに反転し、同様霧吹きで上面に水を適量噴霧しガスバーナー等の強熱で均一に焼き色がつくよう煤焼し、すばやく放冷する。焼き色の程度は最良のものを手元にサンプルとして保管し目視により比較し煤焼する。
【００１１】
以上で煤焼工程を経て本発明に係る犬・猫等ペット用煮干魚類の加工が完了するが、煤焼工程を経て得られた焼き煮干を大型のステンレス製のかごに広げ放冷しながらこげ落ちた皮・ひれ・うろこ等のきょう雑物を除去する。
【発明の効果】
【００１２】
本発明のペット用焼き煮干は酸化した皮下脂肪の多い基準外煮干魚類の酸化物・過酸化物を低減し安価な基準外煮干魚類の有効利用にある。
【００１３】
ここでJAS規格基準(標準)、基準外の煤焼処理後の比較成績を記す。分析は&#12854;日本冷凍食品検査協会に依頼した。
従来品と処理品の酸化物価・過酸化物価分析比較
(従来品)            酸化物価                  過酸化物価                                                   
標準                  １９                        ５９
標準外                １２                        ９６
（処理品）
標準                  １９                        ５１
標準外                １２                        ７１  
分析結果から見て標準煮干魚類はあまり酸化が進んでいないため変化が少ないが標準外煮干魚類の過酸化物かでは顕著に結果がでている。酸化物価は双方ともあまり進んでいなかったため結果は出なかった。
【００１４】
処理することにより味・香りが変化することによる嗜好の変化についても犬・猫による検証を行った（ペットを飼育している家庭にお願いし、その後聞き取り調査を行った）。
処理したことによる犬の嗜好の変化
１  ２  ３  ４  ５  ６  ７  ８  ９  10
従来品    ×  ×  ○  ×  ×  ×  ×  ×  ×  ×  
処理品    ○  ○  ×  ○  ○  ○  ○  ○  ○  ○
１〜４までは小型犬、５〜８までは中型犬、９・10は大型犬。
処理したことによる猫の嗜好の変化
１  ２  ３  ４  ５  ６  ７  ８  ９  10    
従来品    ×  ○  ×  ×  ×  ○  ×  ○  ×  ×
処理品    ○  ×  ○  ○  ○  ×  ○  ×  ○  ○
１〜10までブランド猫でなく普通猫。
犬においては煤焼による味・香りの改善で確実に嗜好の変化が見られるが、猫においては従来持っている気まぐれな性格もあるのか７０％程度の結果であった。
(57)【要約】【課題】    本発明は、猫が用便後に猫トイレ外廻りに猫砂を散乱させないため、猫の足裏に付着した猫砂の脱落を目的とした突起付き傾斜面通路を設け、掃除のし易さの為、一体成型した猫トイレを提供する。【解決手段】  本発明は、猫トイレ本体３と一体化した傾斜面通路１と側壁２を設け、猫がトイレを出入りの際に確実にこの傾斜面通路１を通る構造とし、用便後トイレ外に出る際、その傾斜面通路１を登ることによる足裏の変形を活用し肉球に挟まれた猫砂を脱落させ、また脱落した猫砂を傾斜面に沿って自然に便床内に落下させるものである。【選択図】図１
2011239766.tif 000002
【特許請求の範囲】
【請求項１】
猫トイレ本体と一体成型した、突起付き傾斜面通路を設け、側壁で仕切ることで、猫がトイレを出入りの際に確実に前記傾斜面通路を通る構造とし、前記傾斜面通路を通る際に足裏に付着した猫砂を脱落させ、脱落した猫砂を前記傾斜面に沿って便床内に落下させる構造の猫トイレ。
【発明の詳細な説明】
【技術分野】
【０００１】本発明は、傾斜面通路を設けた、猫トイレに関するものである。
【背景技術】
【０００２】従来の、猫の足裏に付着した猫砂落とし装置が付いた猫トイレは、砂落とし機能部分が複数の部品で構成されており、掃除の際、脱着を余儀なくされ、掃除がしにくい構造となっている。
【発明の概要】
【発明が解決しようとする課題】
【０００３】猫が猫トイレ内で用便を済ませトイレ外に出る際に、足裏に付着した猫砂をトイレ内で脱落させる機能を持ち、掃除のしやすい構造の猫トイレを提供する。
【課題を解決するための手段】
【０００４】傾斜面通路を一体化させた構造の猫トイレとし、猫がトイレを出入りする際に確実に前記傾斜面通路を通る仕組みにより、用便後トイレ外に出る際、前記傾斜面通路を登ることによる足裏の変形作用により肉球に挟まれた猫砂を脱落させ、又脱落した猫砂を前記傾斜面に沿って自然に便床内に落下させるものである。
【発明の効果】
【０００５】上述の様に、本発明の傾斜面通路付き猫トイレは、猫に傾斜面を歩かせることと、傾斜面に突起を設けることにより足裏の変形をより大きくさせる効果で猫砂を脱落させ、又その猫砂を傾斜面に依り自然に便床内に落下させる仕組みであり、トイレ外部への猫砂の持ち出しによる散乱が防げるとともに、単純なトイレ構造とすることにより掃除が容易に出来るものである。
【図面の簡単な説明】
【０００６】
【図１】本発明の傾斜面通路付き猫トイレの実施例を示す斜視図である。
【図２】本猫トイレの平面図である。
【図３】本猫トイレの傾斜面通路のＡ−Ａ断面図である。
【図４】本猫トイレの傾斜面通路のＢ−Ｂ断面図である。
【発明を実施するための形態】
【０００７】傾斜面通路上端部には猫の出入り口を確保し、猫砂のこぼれ出し防止の立ち上がりを設け、下端部は便床より猫砂の敷き厚分程度上げる。尚傾斜面通路床は表面を突起付とすることと通常程度の猫体重に耐え得る補強骨を適宜に配置し側壁で支持する。これらを猫トイレ本体と一体成型する。
【符号の説明】
【０００８】１  突起付き傾斜面通路
２  側壁
３  猫トイレ本体
４  猫砂こぼれ出し防止立ち上がり
５  傾斜面通路床補強骨
６  猫砂
【図１】
2011239766.tif 000003
【図２】
2011239766.tif 000004
【図３】
2011239766.tif 000005
【図４】
2011239766.tif 000006
(57)【要約】      （修正有）【課題】魚に触れることなく、簡単、かつ安全に魚から、針を外すことができる釣り針外し器を提供する。【解決手段】Ｔ字型の軸の片方をＶ字型に加工して針掛け部とし、もう片方を９０度曲げて糸押し下げ部とした釣り針外し器を用いて、上記針掛け部に釣り針を引っ掛けた状態で軸を回転させ、上記糸押し下げ部で糸を下げ、針先を下に向けることにより、魚を釣り針から外す。【選択図】図２
2011239768.tif 000002
【特許請求の範囲】
【請求項１】
針掛け部の対称の位置に、糸押し下げ部を有する釣り針外し器。
【請求項２】
針掛け部は、外部に向かって開かれたＶ字状の開口である請求項１記載の釣り針外し器。
【発明の詳細な説明】
【技術分野】
【０００１】      本発明は、釣った魚に手を触れることなく、簡単に釣り針を外すことができる釣り針外し器に関するものである。
【背景技術】
【０００２】      従来の釣り針外し器、例えば、特許文献１に見られるような棒状のものに釣り針をひっかけて外すものなどがあるが、針先を下に向けるためには釣り糸をもう片方の手で持ち、釣り針の下で維持する必要があった。【０００３】      そのため、魚がはずれたとき、手に触れることがあった。また、背びれに強い毒を持つ魚などの場合、手に触れることは大変危険であった。
【特許文献１】  特開２００９−１１３０９
【発明の概要】
【発明が解決しようとする課題】
【０００４】      本発明は、魚に触れることなく、簡単かつ安全に、魚から釣り針を外すことができる釣り針外し器を提供することを課題とするものである。
【課題を解決するための手段】
【０００５】      針を掛ける部分の反対側に、糸を押し下げる部分を形成することによって、上記の課題を解決するものである。
【発明の効果】
【０００６】      本発明の釣り針外し器は、針掛け部に針を掛け、軸を回転させることにより、糸押し下げ部によって釣り糸が部分的に垂直になり、針先が下を向き、簡単かつ、安全に魚から釣り針を外すことができる。
【図面の簡単な説明】
【０００７】
【図１】本発明の釣り針外し器の一例を示す図である。
【図２】図１の釣り針外し器の使用状態を説明する図である。
【符号の説明】
【０００８】      １  釣り針外し器
２  柄
３  軸
４  針賭け部
５  糸押し下げ部
【発明を実施するための形態】
【０００９】      本発明の釣り針外し器１は、Ｔ字型の軸３の片方をＶ字型に加工し、針掛け部４とし、もう片方を９０度曲げ、糸押し下げ部５とする。
【００１０】      針掛け部４と糸押し下げ部５の距離は３〜４ｃｍほどが望ましい。
【図１】
2011239768.tif 000003
【図２】
2011239768.tif 000004
(57)【要約】      （修正有）【課題】たもぎたけ、ひらたけ、しいたけなどのきのこ類の品質が変化を抑制できる、きのこ類の保存方法を提供する。【解決手段】きのこを収穫して洗浄、乾燥などの操作の過程において、還元水素水を使用することにより、還元水素水が、きのこ保有成分の保持に有効に作用し、生育時には美麗なきのこの、採取後のはやい品質の変化による商品価値減少を抑制する。【選択図】なし【特許請求の範囲】
【請求項１】
たもぎたけ、ひらたけ、しいたけなどのきのこを収穫したあとの洗浄、乾燥などの処理に還元水素水の適量を使用、処理するたもぎたけなどのきのこ保存方法。
【発明の詳細な説明】
【技術分野】
【０００１】  たもぎたけなどのひらたけ科やしいたけなどのきのこ類は、一般的な洗浄、乾燥方法で行われ市販されている、本発明は、その改良技術である。
【背景技術】
【０００２】本発明は、添付する非特許文献１に示す還元水素水をきのこ類の洗浄に使用すると、その品質の保存に有効であることを背景技術とする。
【先行技術文献】
【０００３】
【非特許文献１】    還元水素水の抗酸化力とその臨床評価  ５、６、７、８頁
【発明の概要】
【発明が解決しようとする課題】
【０００４】たもぎたけ、ひらたけ、しいたけなどの品質の保持
【課題を解決するための手段】
【０００５】たもぎたけ、ひらたけ、しいたけなどのきのこを洗浄する洗浄液に還元水素水を使用すること
【発明の効果】
【０００６】たもぎたけは生育時には黄色・黄金色の美麗な傘状のきのこであるが、採取すると品質の変化がはやく商品価値が減少し、ひらたけ、しいたけなどたのきのこでも、その傾向は多い。
本発明は、還元水素水がきのこの保有成分に作用し、グルカン、多糖類などの成分保持に有効であり、市場価値を高める効果を有する。
【発明を実施するための形態】
【実施例】
【０００７】たもぎたけ１０００ｇを容器に入れ、添付する非特許文献１に示す還元水素水５０００ｇを注入し洗浄、浸漬する。１分乃至１０分程度浸漬すると、たもぎたけは美麗な色彩を保ち、或いは一時変色して洗浄される。
この洗浄されたたもぎたけを気密性の高い容器、袋に収容する。この際還元鉄、アスコルビン酸などのアクテイブバリア材を同封しても良く、たもぎたけに限らずひらたけ、しいたけなど他のきのこでも有効である。
【産業上の利用可能性】
【０００８】本発明は、最近開発された還元水素水の抗酸化力などを、きのこ類の成分保持に利用したもので、その効果はきのこが保持する抗酸化力を補助するもので、農林産業上の利用価値は大きい。
(57)【要約】【課題】たばこの煙が大変な悪害をおよぼしている。更には、たばこのポイ捨て、又は、たばこ火による火災等がある。この様に火を使わなければ、たばことしての目的を達しない課題を解決するものです。【解決手段】課題を解決するには、たばこの葉っぱを食べられる食用物にする事です。その食用物とは、たばことしての味覚と香りが味わえる飴・がむ・菓子形態と小粒で、丸い錠剤形態にしたそれぞれの食用物に加工する。手段として、たばこの葉っぱに熱を加えて程よく焼く、この焼いた葉っぱを小さな粉のナノ状態の粉末に加工する。この加工をしたナノ状態の粉末を食べられる色々な食用物に加工する物です。ナノ状態の粉末に色々な食材を加えて混合し、練り合わせる。この練り合わせた物をたばことしての味覚と香りが味わえるそれぞれの食用物に加工する。【効果】たばこ葉を、飴・ガム・菓子形態の食用物にする事により、火を必要としないのです。これにより、火も熱焼も煙も無関係になり、煙が及ぼす悪害も火災等の課題も解決できるのです。【特許請求の範囲】
【請求項１】
たばこの葉っぱに熱を加えて煎る。そして、程よい焼き目をつける。この焼いた葉っぱを小さな粉のナノ状の粉末に加工する。
この粉末にゼラチンの液体を加えて混合し、練り合わせる。この練り合わせた物を乾燥して、固形物の食用飴に加工する。
【請求項２】
たばこの葉っぱに熱を加えて煎る。そして、程よい焼き目をつける。この焼いた葉っぱを小さな粉のナノ状の粉末に加工する。
この粉末に色々な食材を加えて混合する。この混合物にゼラチンの液体を加えて混合し、練り合わせる。この練り合わせた物を乾燥して固形物の食用飴に加工する。
【請求項３】
たばこの葉っぱに熱を加えて煎る。そして、程よい焼き目をつける。この焼いた葉っぱを小さな粉のナノ状の粉末に加工する。
この粉末にガムを加えて混合し、練り合わせる。この練り合わせた物を食用チューインガムに加工する。
【請求項４】
たばこの葉っぱに熱を加えて煎る。そして、程よい焼き目をつける。この焼いた葉っぱを小さな粉のナノ状の粉末に加工する。
この粉末に色々な食材を加えて混合する。この混合物にガムを加えて混合し練り合わせる。この練り合わせた物を食用チューインガムに加工する。
【請求項５】
たばこの葉っぱに熱を加えて煎る。そして、程よい焼き目をつける。この焼いた葉っぱを小さな粉のナノ状の粉末に加工する。
この粉末に色々な食材を加えて混合する。この混合物に小麦粉の食材を加えて混合し練り合わせる。この練り合わせた物を熱して焼き、乾燥させて固形物の食用菓子に加工する。
【請求項６】
たばこの葉っぱに熱を加えて煎る。そして、程よい焼き目をつける。この焼いた葉っぱを小さな粉のナノ状の粉末に加工する。
この粉末に色々な食材を加えて混合する。
この混合物に液体ゼラチンを加えて混合し練り合わせる。
この練り合わせた物を乾燥させ小粒で丸い錠剤形の小粒の飴に加工する。
【発明の詳細な説明】
【技術分野】
【０００１】その食用物とは、飴・ガム・菓子等のような食用物と、小粒で丸い錠剤等のような食用物に加工する物です。
【背景技術】
【０００２】従来はたばこの葉っぱを、小さく刻み小粒にする。この小粒を紙で巻いてたばこにしていた。又は、葉っぱを刻んで刻みたばこにしていた。
【先行技術文献】
【０００３】火を使い燃焼させ煙を出して、その煙を吸い込んで目的を達している。
現在のたばこがある。
【発明の概要】
【発明が解決しようとする課題】
【０００４】たばこに火をつけて燃焼させ煙を出してその煙を吸い込んで、自身がその煙の味覚と香りを味わい満足して目的を達している。
この煙が大変な悪害を及ぼしているのです。自身の肺又は、他人にも多大な悪害を及ぼしている。更には、たばこのポイ捨て、又は、たばこ火による火災等がある。
この様に火を使わなければ、たばことしての目的を達しない課題を解決する物です。
【課題を解決するための手段】
【０００５】手段として、たばこの葉っぱを小さな粉のナノ状態の粉末に加工する。
このナノ状態の粉末を色々な食用物に加工する。
その食用物とは、ナノ状態の粉末に色々な食材を加えて混合し練り合わす。この練り合わせた物でたばことしての味覚と香りが味わえる。それぞれの食用物に加工する物です。
【発明を実施するための形態】
【０００６】以下、本発明の実施の形態について説明する。
「手段１」
たばこの葉っぱを洗い除菌する。この葉っぱを裁断し乾燥させる。
この乾燥させた葉っぱを熱窯、又は、熱板上で煎るようにして、程よい焼き目をつける。
この焼いた葉っぱを小さな粉のナノ状の粉末に加工する。このナノ状態の粉末に食用ゼラチンを液体にした液を加えて混合し、練り合わせる。
この練り合わせた物を乾燥して、固形物の食用飴に加工する。
「手段２」
たばこ葉の性質である強い刺激と香りを和らげるために、色々な味覚と香りのある食材をナノ状態の粉末に適量を加えて混合する。この混合物にゼラチンを加えて混合し、練り合わせる。この練り合わせた物を乾燥して固形物の食用飴に加工する。
「手段３」
ナノ状態の粉末にガムを加えて混合し、練り合わせる。この練り合わせた物をチューインガムに加工する。
「手段４」
ナノ状態の粉末に色々な味覚と香りのある食材を適量に加えて混合する。この混合物にガムを加えて、混合し練り合わせる。
この練り合わせた物を食用チューインガムに加工する。
「手段５」
ナノ状態の粉末に色々な食材を適量に加えて混合する。
この混合物に小麦粉を加えて混合し練り合わせる。この練り合わせた物を熱して焼き、乾燥させて食用菓子に加工する。
「手段６」
ナノ状態の粉末に色々な食材を加えて混合する。
この混合物に液体ゼラチンを加えて混合し練り合わせる。
この練り合わせた物を乾燥させ、小粒で丸い錠剤形の飴に加工する。
(57)【要約】【課題】  鉢植え植物が成長した際の、植え替えを容易にし、かつ根を保護する為の植物の移植補助具に関するものである。【解決手段】  上部環体と下部環体を適宜数の経条体で連結し、鉢形状にすることを特徴とする植物の移植補助具。【選択図】図１
2011239763.tif 000002
【特許請求の範囲】
【請求項１】
上部環状体と下部環体を適宜数の経条体で連結し、鉢形状にすることを特徴とする植物の移植補助具。
【発明の詳細な説明】
【技術分野】
【０００１】  本発明は、鉢植え植物が成長した際の、移植を容易にし、かつ根を保護する為の植物の移植具に関するものである。
【背景技術】
【０００２】  鉢植え植物は成長ともに鉢のサイズを大きなものにしたり、地植えにする必要がある。これまでは植物の幹部分を握り引き上げるのが一般的である。【０００３】
【発明の概要】
【発明が解決しようとする課題】
【０００４】  そのために、つぎのような問題点があった。
植物は土が根に付いた状態で引上げるのが理想であるが、時として土が重みで脱落してしまうことがある。そのため根が傷み、移植後成長に支障をきたすことがある。
本発明は、以上の問題点を解決するために考案されたものである。
【課題を解決するための手段】
【０００５】  上部環体と下部環体を適宜数の経条体で連結し鉢形状にする。
以上の構成からなる植物の移植補助具。
【発明の効果】
【０００６】  本発明を使用することによって鉢植え植物の移植が容易になり、かつ根を保護することができる。
【図面の簡単な説明】
【０００７】
【図１】本発明の斜視図
【図２】本発明の使用状態を示す斜視図
【図３】本発明の別の使用状態を示す斜視図
【発明を実施するための形態】
【０００８】  以下、本発明の実施の形態について説明する。
（イ）上部環体（１）と下部環体（２）を適宜数の経条体（３）で連結し鉢形状にする。
本発明は以上のような構成で，これを実際にを使用するときは、最初に植物を植える際、鉢（６）の内部に予め設置してから植え付けを行う。上部環体（１）経条体（３）の上部が一部地表に出るまで土をいれる。植物が成長し、植え替えの必要が生じたとき地上部に出ている上部環体（１）と経条体（３）の間隙に指をいれて掴み上部に引き上げると外周部を経条体（３）により保持された植物（４）の根部（６）には土塊（５）が付いた状態で引き上げられる。それを他の鉢に移しかえるか、地植えにする。いずれも下部環体（２）、経条体（３）は隙間を有するので根の伸張を妨げない。よって本発明を装着した状態で生育させることができる。
【符号の説明】
【０００９】  １    上部環体
２    下部環体
３    経条体
４    植物
５    土塊
６    鉢
【図１】
2011239763.tif 000003
【図２】
2011239763.tif 000004
【図３】
2011239763.tif 000005
(57)【要約】【課題】  本発明は、ペットを車の座席に乗せるときに使用する、座席にワンタッチで取り付けられるように工夫したペット用シートを提供する。【解決手段】  座席（３）の形にかたどったシートの背もたれ（１）の上部に、ゴムバンド（２）を輪状にして取り付け、座席の下方にゴミ入れのポケット（４）を設けたことを特徴とするペット用シート。【選択図】図１
2011239764.tif 000002
【特許請求の範囲】
【請求項１】
座席の形にかたどったシートの背もたれの上部にゴムバンドを輪状にして取り付け、座席の裏面にゴムバンドを輪状にして取り付け、座席の下方にゴミ入れのポケットを設けたことを特徴とするペット用シート。
【発明の詳細な説明】
【技術分野】
【０００１】  本発明は、ペットを車の座席に乗せるときに使用する、座席にワンタッチで取り付けられるように工夫したペット用シートに関するものである。
【背景技術】
【０００２】  従来、ペットを車に乗せるときは、座席にそのまま座らせていた。
【発明の概要】
【発明が解決しようとする課題】
【０００３】  そのために、次のような問題点がある。
ペットを車に乗せるときは、座席にそのまま座らせていた。
そのため、泥や毛などが座席に付着したり、また、犬の糞の置き場所にも困っていた。
本発明は、これらの問題点を解決されるためになされたものである．
【課題を解決するための手段】
【０００４】  座席（３）の形にかたどったシートの背もたれ（１）の上部に、ゴムバンド（２）を輪状にして取り付け、座席の下方にゴミ入れのポケット（４）を設ける。
以上のように構成されたペット用シートである。
【発明の効果】
【０００５】  座席についた汚れ等の解消を、本発明により可能にし、ペットを安心して車に乗せることが出来る。
【図面の簡単な説明】
【０００６】
【図１】  本発明の斜視図である。
【発明を実施するための形態】
【０００７】  以下、本発明の実施の形態について説明する。
（イ）背もたれ（１）の上部にゴムバンド（２）を輪状にして取り付ける。
（ロ）座席（３）の裏面にゴムバンド（２）を輪状にして取り付ける。
（ハ）座席（３）の下方にゴミ入れのポケット（４）を設ける。
本発明は以上のような構造である。
本発明を使用するときは、背もたれ（１）上部のゴムバンド（２）を後にかける。
座席（３）のゴムバンドを下側にかける。
【符号の説明】
【０００８】  １  背もたれ
２  ゴムバンド
３  座席
４  ゴミ入れのポケット
【図１】
2011239764.tif 000003
(57)【要約】      （修正有）【課題】畑等で、家庭菜園として、野菜や果物等を作る時、平地より少し高めの作り物に応じた畝を、水はけの為に、鍬などで作り苗を植えたり種を蒔いている。しかし、このように作られた畝では作物にとって不十分であるため、最適な家庭菜園用畝を提供する。【解決手段】畝を鍬などで作るのではなく、畝を囲う為の板７（木、鋼質、プラスチック等）とその囲い板７を固定する固定具５から組み合わせてあり、その囲い板７の中に土を入れるだけで、簡単に必要に応じた畝が出来る。【選択図】図１
2011239770.tif 000002
【特許請求の範囲】
【請求項１】
畑等で、家庭菜園として、野菜果物等を作る時の畝を提供する。  従来は、畑等で野菜果物等を作る時、少し高めの作り物に応じた畝を、鍬などで作り苗を植えたり、種を蒔いている。その畝を鍬などで作るのではなく、平らな畑等の土の上に固定具を用いて、５〜１５Ｃｍ位の囲い板を立て、その囲い板の中に土を平らに入れて畝をつくるのである。特徴として、Ａ  雨水や散水等で畝の端が崩れることが無い。Ｂ  野菜果物の茎が根切り虫等の被害が無い。
【発明の詳細な説明】
【技術分野】
【０００１】畑等で、家庭菜園として、野菜果物等を作る時の畝を提供する。
【背景技術】
【０００２】従来は、畑等で、家庭菜園として、畑等で野菜果物等を作る時、少し高めの作物に応じた蒲鉾形の畝を、鍬などで作り苗を植えたり種を蒔いている。
【発明の開示】
【発明が解決しようとする課題】
【０００３】本発明は、その蒲鉾形の畝を鍬などで作るのではなく、畝を囲う為の板（木、鋼質、プラスチック等）を固定具の上部からの差し込み型と、丸棒（三角、四角でも良い）からなる固定具と組み合わせてあり、その囲いの中に土を入れるだけで簡単に必要に応じた畝が出来るのである。【０００４】本発明を図面で説明する。
【図面の簡単な説明】
【０００５】
【図１】本発明の、一実施例の形態を示す。上部からの囲い板の差し込み型固定具による側面、斜視、断面、平面、底面図及び固定具に囲い板及び取り付けの各外観図（１）固定具  （Ａ）側面  （Ｂ）内壁側斜視  （Ｃ）外壁側斜視  （Ｄ）平面  （Ｅ）底面図（２）（Ｆ）囲い板断面、（Ｇ）（Ｆ）斜視、（Ｈ）（Ａ）に（Ｇ）取付け斜視図（３）（Ｉ）（Ａ）に（Ｆ）取り付け後の畝完了断面図  ▲１１▼土（斜点線）  ▲１２▼畝（斜点線）
【０００６】
【図２】本発明の、一実施例の形態を示す。囲い板の各所の位置に、丸棒固定具（三角、四角でも良い）を、両サイドから差込み、囲い板を固定する側面、斜視、断面囲い板取り付けの各外観図、（４）丸棒固定具  （Ｊ）丸棒斜視と側面、（Ｋ）囲い板側面  （Ｌ）（Ｋ）の斜視図（５）（Ｍ）（Ｋ）に（Ｊ）取り付けの断面図  （Ｎ）（Ｍ）の斜視図（６）（Ｏ）丸棒固定具と囲い板による完了斜視図  ▲１１▼土（斜点線）  ▲１２▼畝になる部分
【課題を解決するための手段】
【０００７】  本発明は、図面〔図１〕に示すように、畑等の平らに均した土の上に差し込み型固定具と囲い板を組み立て、土を入れるだけで簡単に畝（Ｉ）が出来るのである。又畝の高さは、水はけを必要とする為であるから、５〜１５ｃｍ位が適当と思われる。囲い板が畝の押す力によって崩れない事が大事だから、固定具の先端を土の中に深く（１０ｃｍ）位差し込むので、全体の長さは２５ｃｍは必要と思われる。  発明の目的は、囲い板からなる畝であるから、囲い板を止める固定具は、他に〔図２〕丸棒の単棒を、囲い板の同じ位置の両サイドに互いに差し込み、必要か所に固定しても良い。参照（６）
【発明の効果】
【０００８】本発明の畝は、その大きさに応じた囲い板を四角形や長方形に組み立て、固定具を各所に取り付け、囲い板をはめ込み簡単に完成する。その結果、畝の端の土が、雨水や散水等で崩れる事もない。尚、従来の鍬等で作る畝は、せっかく種を蒔いたり苗を植えても、根切り虫等によって食い切られてしまうことが多いので、専用の薬を散布したり、土に混ぜ合わせたりして駆除している。その薬等を使わない為の手段として、畝の囲い板の外側の壁面には、幼虫が這い上がる事の出来ない表面がすべすべした仕上げにして、上部には、庇のような（３〜５Ｃｍ）出っ張りを外壁の外向きに付ける事によって、その裏側が虫返しの役目があり、薬等を使わなくても、根切り虫等が畝まで這い上がる事もなく、幹等が食い切られてしまうのを防ぐ効果がある。
【符号の説明】
【０００９】１      囲い板差込み固定具外壁側部分２      囲い板固定内壁側部分３      土中差込み部分３−１  ３  先端矢先４      囲い板止底外側部分５      固定具上部５−１  固定具上部斜視６      囲い板止底内床部分７      囲い板外壁▲７▼  ７７−１  囲い板（庇）上部７−２  囲い板（庇）下部  虫返り部分８      囲い板内壁畝側９      丸棒固定具９−１  ９  斜視（側面含）１０    丸棒固定具上部斜視１０−１  １０  上部斜視（側面含）▲１１▼  土（斜点線）▲１２▼  畝（斜点線）  ［図２］▲１２▼  畝になる部分
【図１】
2011239770.tif 000003
【図２】
2011239770.tif 000004
(57)【要約】      （修正有）【課題】クリーン電力の発電。【解決手段】ア．電力販売の自由化に対応し、環境浄化に役立つクリーン電力を発電する。イ．これを蓄電しつつ必要な需要者へ提供する。ウ．将来電力市場が一般的発電者が参加出来るようになっても任意に対応出来る力を持つ。エ．小規模発電をまとめて有効活用出来るシステムを実行し、エネルギーコストの低減及びクリーン発電の有する意義を石化燃料の抑制を含め省資源を地方、かそ地でも行えるよう具体化出来るよう推進して行く。これらの実行を進めて行く。【選択図】図１
2011239657.tif 000002
【特許請求の範囲】
【請求項１】
クリーンで環境を汚さない本発明によるループ型即ち、繰返し継続して発電する電力を活用するシステム装置の発明。
【発明の詳細な説明】
【発明の詳細な説明】
【産業上の利用分野】
【０００１】この考案は、電力販売の自由化に対応し、過去出来なかった一般の発電の実現を図り、更に一般社会や経済の活性化に寄与出来る。
【背景技術】
【０００２】従来、電力企業の独占であった時代では発想の具体化は無理であった。
【発明が解決しようとする課題】
【０００３】これは次のような問題があった。
（イ）自由発電による発電量の任意な活用は無理であった。
（ロ）石化燃料からの発電はＣＯ２の発生が伴う。この抑制には当然クリーン発電が必要であった。
本発明は、これらの解決のためになされたものである。
【課題を解決するための手段】
【０００４】適宜な一般部品を市場より購入が可能となりつつある現況に対応し、新規の発想に基づく新たな装置や新たなシステムの考案適用により実行して行く
本発明は、以上のような構成よりなる
【実施例】
【０００５】自然電力のコントロール仕様の作成とこの実施上の自己電力ループ発電及び余剰電力の電力企業へ販売実施処理
【発明の効果】
【０００６】（イ）ループ型プロセサーコントロールパネルへの自動電源活用
（ロ）特に産業経済面で地域振興を促進する。
野外作業へ蓄電機能品の充分な活用により農作業や自家発電を活用して工場運営を自由に実施出来るようになる。
（ハ）新たなＣＯ２抑制の排出権取引上、その削減量を必要とする排出増加企業への支援
（ニ）石化発電を抑制する省資源活動等々。
【図面の簡単な説明】
【図１】クリーン発電ループ型自動発電装置活用図
【符号の説明】１、風力発電で電力を蓄電装置へ
２  屋外、屋内共電力を蓄電する
３  蓄電からモータにより４の車軸と車輪を回転させる
４  各種自転車相当の大小車輪を回転させる回転軸
５  車輪に接しその回転力により発電する５Ｗ／Ｈ以上の小型発電機多数
６  モータによる車軸回転の左、右に設置される車輪
７  小型発電機からの電気を蓄電装置へ
８  蓄電部分から外部活用者へクリーン電力として必要量をコントロール提供する
９  車輪を含む発電規模の拡張
１０  電気処理と一般作業者の安全を図る為の囲い。
【図１】
2011239657.tif 000003
(57)【要約】【課題】充電を必要とせず、電気がきれることがない発電機、小型かを可能にする。【解決手段】起電に磁石を使い、本体１に磁石２、整流器３、電流増幅用増幅器４、変圧器５、電気アクセルペダル６、駆動用モーター７、抵抗器８【選択図】図１
2011239656.tif 000002
【特許請求の範囲】
【請求項１】
起電、発電に磁石を使う、発電機。
【請求項２】
電流を再利用する、回路。
【発明の詳細な説明】
【発明の詳細な説明】
【０００１】
【発明の属する技能分野】
【０００１】本発明は、発電機に関する。
【背景技術】
【０００２】  従来のバッテリーは、近年普及してきたリチウム電池に比べても、安定した電流電圧で、電気を供給できる。
【発明が解決しようとする課題】
【０００３】  しかしながら、車用バッテリーは充電しなければならず、充電器が必用になり、その点不利がある。
【課題を解決するための手段】
【０００４】  本発明は、磁石を起電に使うことで上記課題を解決する。
【実施例】
【０００５】  本発明の発電機は、図１に示されるように、回路本体１に磁石２、整流器３増幅器４を内蔵し、変圧のための変圧器５を備えている。自動車のアクセルペダル６、モーター７、抵抗器８
【発明の効果】
【０００６】  本発明は、充電を必要せず変圧器の効果で高電圧を確保しており、電気自動車にも使える。
【図面の簡単な説明】
【図１】本発明に係る回路図である。
【符号の説明】１  本体                              ５  変圧器
２  磁石                              ６  電気アクセルペダル
３  整流器                            ７  モーター
４  増幅器                            ８  抵抗器
【図１】
2011239656.tif 000003
(57)【要約】【課題】動物性タンパク質を豊富に含んだ栄養価の高い飼料を製造するとともに、食品残渣物を飼料の原料として有効に利用することで食品残渣物の処理に要する費用を低減し、しかも、燃焼装置を用いる必要がなく、食品残渣物の処理によって発生する二酸化炭素の排出量を低減させること。【解決手段】本発明では、飼料の製造方法において、地中に形成した貯蔵空間に魚類・鳥類・哺乳類のいずれか一種又はこれらの混合物を埋蔵し、熟成した後に掘り出して飼料の原料とすることにした。また、本発明では、飼料として、地中に形成した貯蔵空間に魚類・鳥類・哺乳類のいずれか一種又はこれらの混合物を埋蔵し、熟成した後に掘り出した埋蔵物を原料として製造することにした。【選択図】なし【特許請求の範囲】
【請求項１】
地中に形成した貯蔵空間に魚類・鳥類・哺乳類のいずれか一種又はこれらの混合物を埋蔵し、熟成した後に掘り出して飼料の原料とすることを特徴とする飼料の製造方法。
【請求項２】
地中に形成した貯蔵空間に魚類・鳥類・哺乳類のいずれか一種又はこれらの混合物を埋蔵し、熟成した後に掘り出した埋蔵物を原料として製造したことを特徴とする飼料。
【発明の詳細な説明】
【技術分野】
【０００１】
本発明は、飼料及び飼料の製造方法に関するものであり、特に、魚類・鳥類・哺乳類を原料とする飼料の製造方法に関するものである。
【背景技術】
【０００２】
従来より、魚類・鳥類・哺乳類などの動物性タンパク質を含有する動物は、栄養源として大量に捕獲や養殖などされ食用に供されているが、その一方で、余剰分が残渣物として廃棄されている。
【０００３】
この廃棄された食品残渣物は、一部が有効利用されているものの、大部分が焼却炉で焼却処分されている（たとえば、特許文献１参照。）。
【先行技術文献】
【特許文献】
【０００４】
【特許文献１】特開２００９−２８６７２号公報
【発明の概要】
【発明が解決しようとする課題】
【０００５】
ところが、上記従来の食品残渣物の焼却処分では、焼却によって大量の二酸化炭素が排出されており、地球温暖化といった社会問題ともなっていた。
【０００６】
また、上記従来の食品残渣物の焼却処分では、焼却に大量の燃料を使用するばかりでなく、焼却炉のメンテナンスに多大な労力や費用を要しており、食品残渣物の処理コストを増大させていた。
【０００７】
そこで、本発明者は、食品残渣物の処理について鋭意研究を重ね、食品残渣物を飼料として有効利用することで処理に要する費用を低減するとともに、二酸化炭素の排出量を低減させることができる方法を見出し、本発明を成すに至った。
【課題を解決するための手段】
【０００８】
すなわち、請求項１に係る本発明では、飼料の製造方法において、地中に形成した貯蔵空間に魚類・鳥類・哺乳類のいずれか一種又はこれらの混合物を埋蔵し、熟成した後に掘り出して飼料の原料とすることにした。
【０００９】
また、請求項２に係る本発明では、飼料において、地中に形成した貯蔵空間に魚類・鳥類・哺乳類のいずれか一種又はこれらの混合物を埋蔵し、熟成した後に掘り出した埋蔵物を原料として製造することにした。
【発明の効果】
【００１０】
そして、本発明では、以下に記載する効果を奏する。
【００１１】
すなわち、本発明では、地中に形成した貯蔵空間に魚類・鳥類・哺乳類のいずれか一種又はこれらの混合物を埋蔵し、熟成した後に掘り出して飼料の原料としているために、動物性タンパク質を豊富に含んだ栄養価の高い飼料を製造することができるとともに、食品残渣物を飼料の原料として有効に利用することで食品残渣物の処理に要する費用を低減することができ、しかも、燃焼装置を用いる必要がなく、食品残渣物の処理によって発生する二酸化炭素の排出量を低減させることができる。
【発明を実施するための形態】
【００１２】
以下に、本発明に係る飼料及びその製造方法の具体的な構成について説明する。
【００１３】
本発明では、地面を掘って処理量に応じた容積の掘削溝を形成する。掘削溝の内側面は土を露出させたままの状態とする。
【００１４】
そして、この掘削溝の内部に、処理する動物を生のまま投入する。動物としては、食品として提供するために捕獲や養殖などされた魚類や鳥類や哺乳類の余剰分が用いられ、加工途中で排出される残渣物であってもよい。また、単一の魚類や鳥類や哺乳類だけを投入してもよく、複数種類の魚類や鳥類や哺乳類を投入してもよく、さらには、こられの魚類や鳥類や哺乳類を混合させて投入してもよい。
【００１５】
その後、処理する動物を投入した掘削溝の開口部分を土で被覆する。このときに、所定量の土を所定厚さ（たとえば、２ｍ。）となるよう押圧して外気との遮断を行う。
【００１６】
その後、所定期間（たとえば、10〜20年間。）放置する。これにより、地中に形成した貯蔵空間に魚類・鳥類・哺乳類のいずれか一種又はこれらの混合物を埋蔵したことになる。
【００１７】
この埋蔵によって、地中の貯蔵空間の内部で投入物が土中の微生物や菌類によって分解されて熟成される。
【００１８】
そして、熟成後に地中の貯蔵空間から埋蔵物を掘り出し、掘り出した埋蔵物を原料として飼料を製造する。埋蔵物はそのまま飼料としてもよく、粉砕し他の栄養素と混合して飼料としてもよく、熱処理や液化処理して飼料としてもよい。
【００１９】
このように、本発明では、地中に形成した貯蔵空間に魚類・鳥類・哺乳類のいずれか一種又はこれらの混合物を埋蔵し、熟成した後に掘り出して飼料の原料としている。
【００２０】
この原料（埋蔵物）には、動物性タンパク質が豊富に含まれているために、これを用いて飼料を製造することで動物性タンパク質を豊富に含んだ栄養価の高い飼料を製造することができる。
【００２１】
また、食品残渣物を飼料の原料として有効に利用することになるために、食品残渣物の処理に要する費用を低減することができる。
【００２２】
しかも、本発明では燃焼装置を用いる必要がないために、食品残渣物の処理によって発生する二酸化炭素の排出量を低減させることができる。